(57)【特許請求の範囲】
【請求項１】
鉄道車両の客室内の天井部に取り付けられる灯具であって、
下面部に蛍光ランプを装着して車両天井部にねじ止めされる灯具本体と、蛍光ランプの下方に位置するように上記灯具本体に対して着脱自在に装着される灯具カバーを有し、
その灯具カバーには、両側縁部にそれぞれ複数のカバー支え具の基端部が固着されているとともに、その各カバー支え具の先端部には、灯具カバーに対して略直交して遠ざかる向きに屈曲された立ち上がり部が形成され、かつ、その立ち上がり部の先端部にはフック状の折り曲げ部が形成され、
上記灯具本体には、下面部に蛍光ランプを装着する正面壁部の両側から直交するように上方に向けて曲げられてなる側壁部が形成され、かつ、その両側壁部には、上記各カバー支え具のフック状の折り曲げ部を挿入可能な複数の開口部が形成され、
上記各カバー支え具の先端の折り曲げ部を上記灯具本体の両側壁部に形成された各開口部に挿入して係止することにより、当該灯具本体に灯具カバーが装着されるように構成されていることを特徴とする鉄道車両用灯具。
【発明の詳細な説明】
【０００１】
【発明の属する技術分野】
本発明は、鉄道車両の客室内天井部に取り付けられて客室内部を照明するための灯具に関する。
【０００２】
【従来の技術】
鉄道車両の客室には、一般に、その天井部に蛍光ランプを光源とする灯具が取り付けられ、また、その灯具には、通常、照明光を和らげ、あるいは蛍光ランプに直接乗客が触れないように、蛍光ランプの下方を覆う灯具カバーが取り付けられる。
【０００３】
このような鉄道車両用の灯具カバーは、蛍光ランプの交換のために簡単に開閉する必要があり、そのため、従来のこの種の灯具においては、灯具カバーをヒンジ機構やラッチ機構等を用いて開放・閉鎖自在の構造としている。
【０００４】
【発明が解決しようとする課題】
ところで、以上のような従来の鉄道車両用灯具のように、ラッチ機構やヒンジ機構を用いることによって灯具カバーの簡単な開閉が可能となるが、このようなヒンジ機構やラッチ機構を使用すると、その分コストが上昇し、灯具全体としてのコストが上昇してしまうという問題がある。
【０００５】
本発明の目的は、ヒンジ機構やラッチ機構等を用いた従来の鉄道車両用灯具に比してコストが低く、しかも蛍光ランプの交換等に際しての灯具カバーの開閉を、従来のヒンジ機構やラッチ機構等を用いたものと同等の容易さで行うことのできる鉄道車両用灯具を提供することにある。
【０００６】
【課題を解決するための手段】
上記の目的を達成するため、本発明の鉄道車両用灯具は、鉄道車両の客室内の天井部に取り付けられる灯具であって、下面部に蛍光ランプを装着して車両天井部にねじ止めされる灯具本体と、蛍光ランプの下方に位置するように上記灯具本体に対して着脱自在に装着される灯具カバーを有し、その灯具カバーには、両側縁部にそれぞれ複数のカバー支え具の基端部が固着されているとともに、その各カバー支え具の先端部には、灯具カバーに対して略直交して遠ざかる向きに屈曲された立ち上がり部が形成され、かつ、その立ち上がり部の先端部にはフック状の折り曲げ部が形成され、上記灯具本体には、下面部に蛍光ランプを装着する正面壁部の両側から直交するように上方に向けて曲げられてなる側壁部が形成され、かつ、その両側壁部には、上記各カバー支え具のフック状の折り曲げ部を挿入可能な複数の開口部が形成され、上記各カバー支え具の先端の折り曲げ部を上記灯具本体の両側壁部に形成された各開口部に挿入して係止することにより、当該灯具本体に灯具カバーが装着されるように構成されていることによって特徴づけられる。
【０００７】
本発明は、灯具本体に対する灯具カバーの取り付け構造に、ヒンジやラッチ等を一切用いない簡素なものとし、そのうえで灯具カバーの開閉を容易に行うことのできる構造を提供するものである。
【０００８】
すなわち、鉄道車両の客室内天井部にねじ止めされた灯具本体に装着されて蛍光ランプの下方を覆う灯具カバーの両側縁部に、それぞれ複数のカバー支え具の基端部を固着する。その各カバー支え具の先端部には、灯具カバーに対して略直交して遠ざかる向きに屈曲する立ち上がり部を形成し、かつ、その立ち上がり部の先端部にはフック状の折り曲げ部を形成しておく。一方、灯具本体には、正面壁部の両側から直交するように上方に向けて曲げられてなる側壁部をそれぞれ形成し、その両側壁部には、それぞれ複数の開口部を形成して、その開口部に対してカバー支え具のフック状の折り曲げ部を係止することによって、灯具カバーを灯具本体に対して装着するように構成する。
【０００９】
このような構成によれば、灯具カバーはその両側縁部の複数箇所においてカバー支え金具のフック状の折り曲げ部を介して灯具本体に対して確実に支持されるとともに、その各フック状の折り曲げ部を外すだけで、灯具本体から灯具カバーを簡単に取り外すことができる。
【００１０】
【発明の実施の形態】
以下、図面を参照しつつ本発明の好適な実施の形態について説明する。
図１は本発明の実施の形態の斜視図である。また、図２はその本発明の実施の形態を鉄道車両の天井部に取り付けた状態を下方から見て示す図である。図３はそのＡ−Ａ断面図であって、図４は図３のＢ部拡大図である。なお、図２においては、灯具カバー１３を透視して示している。
【００１１】
本発明に係る灯具１は、蛍光ランプ１１を装着し、かつ、その点灯装置を内蔵した筐体１１ａを収容した灯具本体１２と、その灯具本体１２に対して着脱自在に取り付けられる灯具カバー１３を主体として構成されている。
【００１２】
灯具カバー１３は円筒体の一部をなす形状で、その軸方向の長さは蛍光ランプ１１よりも若干長く、灯具本体１２に取り付けられた状態で蛍光ランプ１１の下方を覆っている。この灯具カバー１３の材質としては、金属等の不透明材料とするか、あるいはアクリル樹脂等の半透明材料とすることができ、不透明材料を用いた場合には間接照明、半透明材料を用いた場合には半間接照明とすることができる。
【００１３】
灯具カバー１３には、その両側縁部の両端部近傍に、カバー支え具１４の基端部がリベット等によって固定されている。各カバー支え具１４は、例えば板厚１．５ｍｍ程度のステンレス鋼板等によって形成され、灯具カバー１３の両側縁部からその中心側に向けて斜め上方に伸び、その先端部には、灯具カバー１３に対して略直交して遠ざかる向きに屈曲された立ち上がり部１４ａが形成されているとともに、その立ち上がり部１４ａの先端には、フック状の折り曲げ部１４ｂが形成されている。
【００１４】
灯具本体１２は、車両天井部に車両長手方向に沿って設けられている左右の受け骨２ａ，２ｂに対して、前記した筐体１１ａを介してビス３によって取り付けられている。また、灯具本体１２は、その外壁が断面コ字形をしており、前記した蛍光ランプ１１をその下面部に装着する正面壁部１２ａと、その正面壁部１２ａの両側から直交するように曲げられてなる両側壁部１２ｂ，１２ｃを備えている。そして、その両側壁部１２ｂ，１２ｃには、両端部近傍にカバー支え具１４の先端のフック状の折り曲げ部１４ｂを挿入可能な開口部１２ｄがそれぞれ形成されている。
【００１５】
以上の本発明の実施の形態においては、図４のように、カバー支え具１４に固着されている４個のカバー支え１４の各先端のフック状の折り曲げ部１４ｂを、灯具本体１２の両側壁部１２ｂ，１２ｃの各開口部１２ｄに挿入して係止することによって、灯具本体１２に対して灯具カバー１３が装着される。
【００１６】
そして、その装着状態から灯具カバー１３を取り外すには、灯具カバー１３を少し持ち上げた後、左右両側のいずれかに押圧することにより、一方側の各カバー支え具１４の立ち上がり部１４ａが灯具本体１２の側壁部１２ｂに当接して中央部分が弾性的に撓み、他方側の各カバー支え具１４の折り曲げ部１４ｂが灯具本体１２の開口部１２ｄから抜け出すから、その状態で灯具カバー１３の他方側を下向きに移動させるように回動させることによって、その全体を簡単に灯具本体１２から取り外すことができる。また、灯具カバー１３を灯具本体１２に対して装着するには、上記と逆の手順を踏めばよい。
【００１７】
以上の本発明の実施の形態において特に注目すべき点は、灯具カバー１３の開閉のためにヒンジ機構やラッチ機構を全く使用せず、しかも灯具本体１２に対する着脱が簡単な点であり、これにより、低コストでありながら蛍光ランプ１１の交換が容易な灯具となる。
【００１８】
なお、以上の実施の形態における灯具カバー１３の形状や材質、あるいは灯具１を取り付ける車両天井部の構造等は、適宜に変更し得ることは勿論である。
【００１９】
【発明の効果】
以上のように、本発明によれば、灯具カバーの両側縁部に、先端部にフック状の折り曲げ部が形成された複数のカバー支え具を固着する一方、灯具本体の側壁部にはその各カバー支え具の折り曲げ部を係止するための複数の開口部を設け、その各開口部にカバー支え具の折り曲げ部を引っかけるだけで灯具本体に対して灯具カバーを装着するように構成することにより、ヒンジ機構やラッチ機構等を一切使用することなく、灯具本体に対して灯具カバーを簡単に着脱できるように構成しているから、従来のこの種の灯具に比して、蛍光ランプの交換作業を困難にすることなく、低コストの鉄道車両用灯具が得られる。
【図面の簡単な説明】
【図１】本発明の実施の形態の形態の斜視図である。
【図２】本発明の実施の形態の複数個を鉄道車両の天井部に取り付けた状態を、各灯具カバーを透視した状態で下から見て示す図である。
【図３】図２のＡ−Ａ断面図である。
【図４】図３のＢ部拡大図である。
【符号の説明】
１  灯具
１１  蛍光ランプ
１１ａ  点灯装置を収容した筐体
１２  灯具本体
１２ａ  正面壁部
１２ｂ，１２ｃ  側壁部
１２ｄ  開口部
１３  灯具カバー
１４  カバー支え具
１４ａ  立ち上がり部
１４ｂ  折り曲げ部
２ａ，２ｂ  受け骨
３  ビス
【図１】
0004345943.tif 000002
【図２】
0004345943.tif 000003
【図３】
0004345943.tif 000004
【図４】
0004345943.tif 000005